(57)【要約】【課題】異常な印刷品位で印刷が行われている情報を、他のユーザーに対して送信し該情報を共有し、記録用紙の浪費を予め防ぐことができる画像形成装置を提供する。【解決手段】用紙に画像を印刷するプリンター装置３０は、通信ネットワークを通じて複数の端末装置Ｃ１〜Ｃ４に接続され、印刷品位が異常である情報を入力する印刷品位異常検知入力部１２１と、印刷品位の異常を警告する情報を複数のコンピュータ端末Ｃ１〜Ｃ４に通信ネットワークを通じて送信する印刷品位警告通知送信部１１５とを備え、印刷品位警告通知送信部１１５から複数のコンピュータ端末Ｃ１〜Ｃ４へ送信された前記印刷品位の異常を警告する情報に基づいて、複数のコンピュータ端末Ｃ１〜Ｃ４の表示画面に警告が表示される。【選択図】図１
2011100013.tif 000002
【特許請求の範囲】
【請求項１】
通信ネットワークを通じて複数の端末装置に接続され、記録媒体に画像を印刷する画像形成装置であって、
前記画像の印刷品位の異常を警告する情報をユーザーにより入力する警告情報入力手段と、
前記印刷品位の異常を警告する情報を前記複数の端末装置に前記通信ネットワークを通じて送信する警告通知送信手段と、
を備え、
前記警告通知送信手段から前記複数の端末装置へ送信された前記印刷品位の異常を警告する情報に基づいて、前記複数の端末装置の表示手段に警告が表示されることを特徴とする画像形成装置。
【請求項２】
前記画像の印刷品位の異常状態の警告を解除する情報をユーザーにより入力する警告解除情報入力手段と、
前記印刷品位の異常状態の警告を解除する情報を前記複数の端末装置に前記通信ネットワークを通じて送信する警告解除通知送信手段と、
を備え、
前記警告解除通知送信手段から前記複数の端末装置へ前記通信ネットワークを通じて送信された前記印刷品位の異常状態の警告を解除する情報に基づいて、前記複数の端末装置の表示画面に印刷品位の異常状態の警告が解除されたことが表示され、印刷が可能である情報を前記複数の端末装置によって共有されることを特徴とする請求項１に記載の画像形成装置。
【請求項３】
前記画像形成装置は、前記通信ネットワークを介し前記画像形成装置の動作状態を管理する管理装置に接続され、前記管理装置のアドレスである管理テーブルを記憶し、
前記警告通知送信手段は、前記管理テーブルに基づき前記印刷品位の異常を警告する情報を前記管理装置へ送信し、
前記印刷品位の異常を警告する情報に基づいて、前記管理装置の表示画面に警告が表示されることを特徴とする請求項１または２に記載の画像形成装置。
【請求項４】
前記印刷品位の異常を警告する情報を送信した後に、前記印刷品位の異常を警告する情報にも関わらず印刷命令に基づき印刷を継続させることを特徴とする請求項１乃至３の何れか１項に記載の画像形成装置。
【請求項５】
前記印刷品位の異常とは、印刷のかすれ、帯電ムラ、またはスジムラの何れか１つであることを特徴とする請求項１乃至４の何れか１項に記載の画像形成装置。
【請求項６】
複数の端末装置と、記録媒体に画像を印刷する画像形成装置と、前記画像形成装置の動作状態を管理する管理装置とが通信ネットワークを通じて接続される印刷通信システムであって、
前記画像形成装置は、
前記画像の印刷品位の異常を警告する情報をユーザーにより入力する警告情報入力手段と、
前記印刷品位の異常を警告する情報を前記複数の端末装置と前記管理装置とに前記通信ネットワークを通じて送信する警告通知送信手段と、
前記管理装置のアドレスである管理テーブルを記録する記録手段と、
を備え、
前記複数の端末装置は、
前記画像形成装置に印刷を行わせるための印刷コマンドを入力する入力手段と、
前記画像形成装置と受送信を行う受送信手段と、
前記画像形成装置の印刷品位の状態を表示する表示手段と、
を備え、
前記警告通知送信手段から前記複数の端末装置と前記管理装置とへ送信された前記印刷品位の異常を警告する情報に基づいて、前記複数の端末装置と前記管理装置との表示手段に警告が表示されることを特徴とする印刷通信システム。
【発明の詳細な説明】
【技術分野】
【０００１】
本発明は、複写機やプリンタ、ファクシミリ等の電子写真方式の画像形成装置に画像形成装置及びこれを用いたシステムに関する。
【背景技術】
【０００２】
従来、オフィス等で複数のユーザーが共有して利用する画像形成装置から、所望する画像を記録媒体（記録用紙）に印刷する場合、紙詰まり（ジャム）や印刷のかすれ等の印刷不具合が発生するおそれがあった。
【０００３】
そこで、特許文献１では、画像形成装置にセンサを設けて自動的に記録用紙の紙詰まりの発生を検知し、紙詰まりの発生した箇所と回数とを所定の区分ごとに記録し、所定の基準値に達すると、画像形成装置から異常発生を知らせるアラームを通信ネットワークに接続された管理装置に送信して、該画像形成装置は、印刷する際に異常が発生する確率が高いことをユーザーと管理装置に対し通知することができるという発明が提案されている。
【先行技術文献】
【特許文献】
【０００４】
【特許文献１】特開平９−５０１５６号公報
【発明の概要】
【発明が解決しようとする課題】
【０００５】
しかしながら、画像形成装置における印刷異常は、紙詰まりだけではなく、感光体の帯電状態の変化から生じる帯電ムラや、濃度パターン法において記録素子の特性に起因するスジムラ、印刷のかすれ等がある。これらの印刷異常は、画像形成装置で認識することが難しい。
【０００６】
特許文献１によって開示されている画像形成装置は、センサでの識別が難しく且つユーザーによって認知できる程度の印刷品位の異常を感知することは困難である。その為、一人のユーザーが画像形成装置を利用し印刷を行い、印刷された記録用紙を画像形成装置から回収した際に人にしか認知できないような異常印刷品位で印刷されていることに気づいた場合でも、他のユーザーは、印刷品位が異常な状態で印刷が行われている情報を共有していないため、印刷を行う後続のユーザーは、印刷品位が異常な状態で次々と印刷の出力を行ってしまう。結果、大量の記録用紙が浪費され、電力エネルギーも無駄になってしまうという課題があった。
【０００７】
本発明は、上述のごとき実情に鑑みてなれたもので、ユーザーが人にしか認識できない程度の異常な印刷品位で印刷が行われていることに気づいた場合、通信ネットワークを介して接続された他のユーザーに対して、入力手段を使用して印刷品位が異常な状態で印刷が行われている情報を通知することができる画像形成装置及びこれを用いたシステムを提供することを目的とするものである。
【課題を解決するための手段】
【０００８】
上述した課題を解決するために本発明に係る画像形成装置の各構成は、次の通りである。
【０００９】
本発明の画像形成装置は、通信ネットワークを通じて複数の端末装置に接続され、記録媒体に画像を印刷する画像形成装置であって、前記画像の印刷品位の異常を警告する情報をユーザーにより入力する警告情報入力手段と、前記印刷品位の異常を警告する情報を前記複数の端末装置に前記通信ネットワークを通じて送信する警告通知送信手段とを備え、前記警告通知送信手段から前記複数の端末装置へ送信された前記印刷品位の異常を警告する情報に基づいて、前記複数の端末装置の表示手段に警告が表示されることを特徴とするものである。
【００１０】
また、本発明の画像形成装置は、前記画像の印刷品位の異常状態の警告を解除する情報をユーザーにより入力する警告解除情報入力手段と、前記印刷品位の異常状態の警告を解除する情報を前記複数の端末装置に前記通信ネットワークを通じて送信する警告解除通知送信手段とを備え、前記警告解除通知送信手段から前記複数の端末装置へ前記通信ネットワークを通じて送信された前記印刷品位の異常状態の警告を解除する情報に基づいて、前記複数の端末装置の表示画面に印刷品位の異常状態の警告が解除されたことが表示され、印刷が可能である情報を前記複数の端末装置によって共有されることを特徴とするものである。
【００１１】
また、本発明の画像形成装置は、前記通信ネットワークを介し前記画像形成装置の動作状態を管理する管理装置に接続され、前記管理装置のアドレスである管理テーブルを記憶し、前記警告通知送信手段は、前記管理テーブルに基づき前記印刷品位の異常を警告する情報を前記管理装置へ送信し、前記印刷品位の異常を警告する情報に基づいて、前記管理装置の表示画面に警告が表示されることを特徴とするものである。
【００１２】
また、本発明の画像形成装置は、前記印刷品位の異常を警告する情報を送信した後に、前記前記印刷品位の異常を警告する情報にも関わらず印刷命令に基づき印刷を継続させることを特徴とするものである。
【００１３】
また、本発明の画像形成装置において、前記印刷品位の異常とは、印刷のかすれ、帯電ムラ、またはスジムラの少なくとも１つであることを特徴とするものである。
【００１４】
また、本発明の印刷通信システムは、複数の端末装置と、記録媒体に画像を印刷する画像形成装置と、前記画像形成装置の動作状態を管理する管理装置とが通信ネットワークを通じて接続される印刷通信システムであって、前記画像形成装置は、前記画像の印刷品位の異常を警告する情報をユーザーにより入力する警告情報入力手段と、前記印刷品位の異常を警告する情報を前記複数の端末装置と前記管理装置とに前記通信ネットワークを通じて送信する警告通知送信手段と、前記管理装置のアドレスである管理テーブルを記録する記録手段とを備え、前記複数の端末装置は、前記画像形成装置に印刷を行わせるための印刷コマンドを入力する入力手段と、前記画像形成装置と受送信を行う受送信手段と、前記画像形成装置の印刷品位の状態を表示する表示手段とを備え、前記警告通知送信手段から前記複数の端末装置と前記管理装置とへ送信された前記印刷品位の異常を警告する情報に基づいて、前記複数の端末装置と前記管理装置との表示手段に警告が表示されることを特徴とするものである。
【発明の効果】
【００１５】
本発明によれば、画像形成装置は、通信ネットワークを通じて複数の端末装置に接続され、記録媒体に画像を印刷する画像形成装置であって、前記画像の印刷品位の異常を警告する情報をユーザーにより入力する警告情報入力手段と、前記印刷品位の異常を警告する情報を前記複数の端末装置に前記通信ネットワークを通じて送信する警告通知送信手段とを備え、前記警告通知送信手段から前記複数の端末装置へ送信された前記印刷品位の異常を警告する情報に基づいて、前記複数の端末装置の表示手段に警告が表示され、人にしか認識できない程度の異常印刷品位で印刷が行われている情報を、他のユーザーに対して送信し該情報を共有することで、記録用紙を無駄に消費するという優れた効果を奏し得る。
【００１６】
本発明によれば、前記画像形成装置は、前記画像の印刷品位の異常状態の警告を解除する情報をユーザーにより入力する警告解除情報入力手段と、前記印刷品位の異常状態の警告を解除する情報を前記複数の端末装置に前記通信ネットワークを通じて送信する警告解除通知送信手段とを備え、前記警告解除通知送信手段から前記複数の端末装置へ前記通信ネットワークを通じて送信された前記印刷品位の異常状態の警告を解除する情報に基づいて、前記複数の端末装置の表示画面に印刷品位の異常状態の警告が解除されたことが表示され、印刷が可能である情報を前記複数の端末装置によって共有されることで、新たに利用可能な画像形成装置に接続する手間を省くことができ、速やかに印刷を行えることでユーザーの業務効率が高められるという優れた効果を奏し得る。
【００１７】
本発明によれば、前記画像形成装置は、前記通信ネットワークを介し前記画像形成装置の動作状態を管理する管理装置に接続され、前記管理装置のアドレスである管理テーブルを記憶し、前記警告通知送信手段は、前記管理テーブルに基づき前記印刷品位の異常を警告する情報を前記管理装置へ送信し、前記印刷品位の異常を警告する情報に基づいて、前記管理装置の表示画面に警告が表示されることで、人にしか認識できない程度の異常印刷品位で印刷が行われている画像形成装置の修理を行う手続きを迅速に取ることができ、修理手続きの間、印刷品位が異常な状態で印刷が行われることを防ぐことができ、記録用紙を消費してしまうことを未然に防ぐことができるという優れた効果を奏し得る。
【００１８】
本発明によれば、前記画像形成装置は、前記印刷品位の異常を警告する情報を送信した後に、前記印刷品位の異常を警告する情報にも関わらず印刷命令に基づき印刷を継続させることで、印刷品位が異常な状態でも印刷する必要があるユーザーは強制的に印刷出力することができ、ユーザーの業務効率が下がることを防ぐことができるという優れた効果を奏し得る。
【００１９】
本発明によれば、前記画像形成装置において、前記印刷品位の異常とは、印刷のかすれ、帯電ムラ、またはスジムラの少なくとも１つであることで、人にしか認識できない異常印刷品位の程度の範囲が広くなり、多様な印刷品位の異常状態に対応できるという優れた効果を奏し得る。
【００２０】
本発明によれば、本発明の印刷通信システムは、複数の端末装置と、記録媒体に画像を印刷する画像形成装置と、前記画像形成装置の動作状態を管理する管理装置とが通信ネットワークを通じて接続される印刷通信システムであって、前記画像形成装置は、前記画像の印刷品位の異常を警告する情報をユーザーにより入力する警告情報入力手段と、前記印刷品位の異常を警告する情報を前記複数の端末装置と前記管理装置とに前記通信ネットワークを通じて送信する警告通知送信手段と、前記管理装置のアドレスである管理テーブルを記録する記録手段とを備え、前記複数の端末装置は、前記画像形成装置に印刷を行わせるための印刷コマンドを入力する入力手段と、前記画像形成装置と受送信を行う受送信手段と、前記画像形成装置の印刷品位の状態を表示する表示手段とを備え、前記警告通知送信手段から前記複数の端末装置と前記管理装置とへ送信された前記印刷品位の異常を警告する情報に基づいて、前記複数の端末装置と前記管理装置との表示手段に警告が表示され、人にしか認識できない程度の異常な印刷品位で印刷が行われている情報を、他のユーザーに対して送信し該情報を共有することで、記録用紙を無駄に消費されることを防止するという優れた効果を奏し得る。
【図面の簡単な説明】
【００２１】
【図１】本発明の実施形態に係る画像形成装置と複数の端末とおよび管理装置との接続状態を示す概略図である。
【図２】本発明の実施形態に画像形成装置の構成を示す概略図である。
【図３】本発明の第１の実施形態に係る画像形成装置のブロック図である。
【図４】本発明の第１の実施形態に係る表示部および入力部の構成を示す概略図である。
【図５】本発明の第１の実施形態に係る画像形成装置に通信ネットワークを通じて接続された管理装置のアドレスを示す管理テーブル表の一例である。
【図６】本発明の第１の実施形態に係る画像形成装置の制御部のブロック図である。
【図７】（ａ）は、本発明の第１の実施形態に係る画像形成装置が送信した印刷品位警告通知を受信した複数のコンピュータ端末の表示画面を示す概略図である。（ｂ）は、本発明の第１の実施形態に係る印刷品位警告通知を受信したコンピュータ端末に表示された、他に印刷可能な画像形成装置へ印刷先を切替えるための切替ボタンを含む表示画面の概略図である。（ｃ）は、本発明の第１の実施形態に係る画像形成装置から印刷品位警告解除通知を受信し、印刷品位の異常が解消されたコンピュータ端末の表示画面を示す概略図である。
【図８】本実施形態に係る画像形成装置が印刷品位警告通知を送信する場合のフローチャートである。
【図９】本実施形態に係る画像形成装置から印刷品位警告通知をコンピュータ端末が受信し、再度印刷する場合のフローチャートである。
【図１０】本実施形態に係る画像形成装置から印刷品位警告解除通知を複数のコンピュータ端末が受信した場合のフローチャートである。
【発明を実施するための形態】
【００２２】
次に、本発明の実施形態に係る画像形成装置を説明する。尚、第１の実施形態では、画像形成装置をプリンター装置に適用した場合である。
【００２３】
本発明の実施形態に係るプリンター装置３０は、図１に示すように、複数のコンピュータ端末Ｃ１〜Ｃ４とローカル・エリア・ネットワーク４０（ＬＡＮ）を介して接続されている。ＬＡＮ４０は、ワイド・エリア・ネットワーク（ＷＡＮ）を介して他のＬＡＮ４１に接続されている。プリンター装置３０の動作状態を管理する管理装置Ｄ１〜Ｄ２は、ＬＡＮ４１に接続されている。尚、コンピュータ端末Ｃ１〜Ｃ４および管理装置、プリンター装置の数は本実施形態に限定されない。また、第１の実施形態において、ＬＡＮとＷＡＮを含む通信網を通信ネットワークと称する。
【００２４】
図２は、第１の実施形態に係るプリンター装置３０の構成を示す概略図である。
【００２５】
第１の実施形態に係るプリンター装置３０は、図２に示すように、読み取った原稿の画像データやネットワークを介して外部から送信された画像データに基づいて記録部材（用紙）に対して多色および単色の画像を形成する。
【００２６】
次に、第１実施形態に係るプリンター装置３０に係る各構成要素を順次説明する。
【００２７】
以下、本発明を実施するための形態について図面を参照して説明する。
図２は発明を実施する形態の一例であって、第１の実施形態に係るプリンター装置３０の全体の構成を示す説明図である。
【００２８】
第１の実施形態は、図２に示すように、表面に静電潜像が形成される感光体ドラム（感光体）５と、感光体ドラム５表面を帯電させる帯電装置６と、感光体ドラム５表面に静電潜像を形成するレーザースキャナーユニット（露光装置）３２と、感光体ドラム５表面の静電潜像にトナーを供給してトナー像を形成する現像装置４と、トナー像を記録用紙（記録媒体）に転写する転写ローラ（転写装置）７と、記録用紙に転写されたトナー像を定着させる定着装置３５と、本プリンター装置の全体の動作を制御する制御部１１と、ユーザーが直接で動作命令を入力するための入力部１２と、様々な動作状態や入力情報を表示する表示部１３とを備え、電子写真方式によりトナーを用いて画像を形成するプリンター装置３０を構成している。
【００２９】
まず、プリンター装置３０の全体構成について説明する。
プリンター装置３０は、記録用紙などの記録媒体の表面に画像を形成して、記録用紙を出力する装置である。プリンター装置３０は、図２に示すように、画像形成部１０および給紙搬送部２０を備えて構成される。
【００３０】
画像形成部１０は、図２に示すように、静電潜像（静電荷画像）を担持する感光体ドラム５と、感光体ドラム５の表面を帯電する帯電装置６と、感光体ドラム５の表面に画像データに対応したレーザ光を照射するレーザースキャナーユニット（露光装置）３２と、感光体ドラム５表面の静電潜像を現像してトナー画像を形成する現像装置４と、感光体ドラム５の表面の異物を取り除くクリーニング装置８とを備えて構成される。
【００３１】
また、画像形成部１０は、補給トナーを収容するトナー収容部１を備え、トナー収容部１内の補給トナーを現像装置４に供給できるようになっている。
【００３２】
尚、プリンター装置３０においては、トナー収容部１内の補給トナーを現像装置４に直接供給する構成となってようになっているが、トナーホッパ等を介して補給トナーを間接的に供給することもできる。
【００３３】
図２において、感光体ドラム５は、図示しない駆動手段によって軸線回りに回転駆動可能に支持され、図示しない円筒状または円柱状の導電性基体と、導電性基体の表面に形成される感光層とを含んで構成される。感光体ドラム５には、この分野で常用されるものを使用でき、例えば、導電性基体であるアルミニウム素管と、アルミニウム素管の表面に形成される有機感光層とを含むものが挙げられる。有機感光層は、電荷発生物質を含む電荷発生層と、電荷輸送物質を含む電荷輸送層とを積層して形成される。有機感光層は、電荷発生物質と電荷輸送物質とを１つの層に含むものであってもよい。
【００３４】
帯電装置６は、感光体ドラム５の表面を所定の極性および電位に帯電させる。
本実施形態では、帯電装置６には非接触型のチャージャ帯電器を用いているが、それに限定されず、例えば、スコロトロンといったコロナ帯電器や、その他に接触型のローラ型やブラシ型の帯電器を用いるものであってもよい。
【００３５】
レーザースキャナーユニット（露光装置）３２は、帯電状態にある感光体ドラム５の表面に、画像データに対応するレーザ光を照射し、感光体ドラム５の表面に、画像データに対応する静電荷像を形成する。
【００３６】
現像装置４は、感光体ドラム５表面の静電潜像にトナーを供給し、静電潜像を現像してトナー像を形成する。このとき、現像装置４内から消費されたトナー量に応じて、前述したトナー収容部１からトナーが補給されるようになっている。
【００３７】
転写ローラ７は、感光体ドラム５表面に接して設けられ、図示しない高圧電源によりトナーとは逆の電荷が印加されるようになっている。後述する給紙カセット３１から給紙される記録用紙をトナーの逆電荷に帯電することにより、感光体ドラム５表面に形成されるトナー画像を静電力で記録用紙上に転写する。
【００３８】
給紙カセット３１は、記録用紙を収容するとともに、給紙ローラ３３を介して、感光体ドラム５の表面に形成されるトナー画像が転写ローラ７の位置に到達するタイミングが一致するように、記録用紙を転写ローラ７の位置に給紙する。
【００３９】
排紙ローラ３４は、転写ローラ７によりトナー画像が転写された記録用紙を定着装置３５へ搬送する。定着装置３５は、加熱ローラ３５ａと加圧ローラ３５ｂからなり、記録用紙上に転写されたトナー画像を溶融させながら圧力を加えることによって、記録用紙に定着させる。トナー画像が定着された記録用紙は、排紙トレイ３６に排紙される。
【００４０】
第１の実施形態のプリンター装置３０の制御部１１は、図３に示すように、入力部１２、表示部１３、記憶部１４、画像形成部１０、および給紙搬送部２０を制御している。
【００４１】
入力部１２は、図４に示すように、印刷品位異常検知入力部１２１、入力クリア・キー１２３、印刷品位警告解除入力部１２４、電源入力キー１２５、マルチキー１２６を備えて構成されている。入力部１２は、ユーザーによって入力されることを目的とした入力手段である。
【００４２】
印刷品位異常検知入力部１２１は、印刷のかすみやムラ等の印刷品位の異常な状態をユーザーが発見した場合、印刷品位が異常である情報を入力するための入力手段である。
【００４３】
入力クリア・キー１２３は、ユーザーによって入力された上記情報を取り消す場合に使用する。電源入力キー１２５は、プリンター装置３０の電源をユーザーによってオン・オフする場合に使用する。マルチキー１２６は、文字入力を入力する場合に使用する。尚、図４では、一例としてボタン式の印刷品位異常検知入力部を示したが、印刷品位異常検知入力部の表示をタッチパネル上に表示して入力を行うようにしても良い。また、印刷品位が異常である情報を１度入力後に、確認のため“本当に印字品位異常検知を入力しますか？”等の所定のメッセージを表示部１３（表示画面）に表示して確認を行うような構成としても良い。
【００４４】
印刷品位警告解除入力部１２４は、プリンター装置３０の修理が行われて印刷品位が異常である状態が解消された場合、ユーザーまたは所定のプリンター装置修理業者が印刷品位の異常が解消した情報を画像形成装置に入力するための入力手段である。尚、印刷品位の異常が解消した情報とは、ユーザーまたは所定のプリンター装置修理業者によって、プリンター装置３０が修理され、印刷のかすみ、帯電ムラ、またはスジムラ等の印刷品位の異常が解消した状態を示す情報を称する。
【００４５】
表示部１３は、図４に示すように、上記入力部１２から入力された情報やプリンター装置３０の動作に関わる様々な状態を表示する。尚、表示部１３は、タッチパネル式を使用して入力部１２と一体に形成する構成としても良い。
【００４６】
記憶部１４は、図５に示すように、複数の管理装置Ｄ１〜Ｄ２の管理装置番号７００と通信ネットワーク上の固有のアドレス７０１とを表にした管理装置テーブル５０を記憶している。複数の管理装置Ｄ１〜Ｄ２は、それぞれに対応して管理する番号（管理装置番号７００）が与えられ、通信ネットワーク上の固有のアドレス７０１を有している。
【００４７】
次に、第１の実施形態に係る特徴的なプリンター装置３０およびプリンター装置３０を使ったシステム（印刷通信システム）について図面を参照して詳細に説明する。
【００４８】
図１は、第１の実施形態に係るプリンター装置、複数の端末および管理装置との接続状態を示す概略図である。図２は、第１の実施形態にプリンター装置の構成を示す概略図である。図３は、第１の実施形態に係るプリンター装置のブロック図である。図４は、第１の実施形態に係る表示部および入力部の構成を示す概略図である。図５は、第１の実施形態に係るプリンター装置に通信ネットワークを通じて接続された管理装置のアドレスを示す管理テーブル表の一例である。図６は、第１の実施形態に係るプリンター装置の制御部１１のブロック図である。図７（ａ）は、第１の実施形態に係るプリンター装置が送信した印刷品位警告通知を受信した複数のコンピュータ端末の表示画面を示す概略図である。図７（ｂ）は、第１の実施形態に係る印刷品位警告通知を受信した各コンピュータ端末における印刷出力先の切替ボタンを含む表示画面を示す概略図である。図７（ｃ）は、第１の実施形態に係るプリンター装置から印刷品位警告解除通知を受信した端末の表示画面を示す概略図である。図８は、第１の実施形態に係るプリンター装置が印刷品位警告通知を送信する場合のフローチャートである。図９は、第１の実施形態に係るプリンター装置から印刷品位警告通知をコンピュータ端末が受信し再度印刷を行う場合のフローチャートである。図１０は、第１の実施形態に係るプリンター装置から印刷品位警告解除通知をコンピュータ端末が受信し、再度印刷する場合のフローチャートである。
【００４９】
第１の実施形態に係るプリンター装置３０は、図６に示すように、制御部１１によって、プリンター装置３０全体の動作が制御されている。制御部１１は、印刷品位異常警告通知生成部１１０、印刷シーケエンス制御部１１２、印刷ジョブスプーラー部１１３、ＬＡＮ制御部１１４、及び印刷品位警告通知送信部１１５を備えて構成されている。
【００５０】
コンピュータ端末Ｃ１〜Ｃ４の何れか１つを使用しているユーザーが、プリンター装置３０において印刷の実行を行った場合、制御部１１は、該コンピュータ端末から送信された印刷ジョブを、通信ネットワークを介して受信する。
【００５１】
ＬＡＮ制御部１１４は、ＬＡＮインターフェース（図示せず）を備え、ＬＡＮインターフェースがＬＡＮ４０に接続される。ＬＡＮはルータ（図示せず）を通じて通信ネットワークに接続される。ＬＡＮ制御部１１４は、ＴＣＰ／ＩＰといった所定の通信プロトコルにしたがって通信を制御する。
【００５２】
印刷ジョブスプーラー部１１３は、該コンピュータ端末から送信された印刷ジョブを一時的に蓄える（スプール）。このためＬＡＮ制御部１１４で印刷ジョブの種類を識別することを要しないため印刷ジョブを高速で受信できる。
【００５３】
印刷シーケエンス制御部１１２は、印刷ジョブスプーラー部１１３に蓄えられている印刷ジョブを順に処理する。
【００５４】
入力部１２の印刷品位異常検知入力部１２１により印刷品位が異常である情報が入力されると、印刷品位異常警告通知生成部１１０は、印刷品位が異常である情報に基づいて印刷品位の異常の発生を警告するための情報（印刷品位警告通知）を生成する。
【００５５】
印刷品位警告通知送信部１１５は、該印刷品位警告通知を、通信ネットワークを介してコンピュータ端末Ｃ１〜Ｃ４に送信する。また、記憶部１４に記憶された複数の管理装置Ｄ１〜Ｄ２の通信ネットワーク上のアドレスを含む管理テーブルを読み出して、該管理テーブル内のアドレスに基づいて、複数の管理装置Ｄ１〜Ｄ２に印刷品位警告通知を送信する。尚、管理装置Ｄ１〜Ｄ２は、プリンター装置３０の動作および印刷不具合の監視を行い、該不具合は発生した場合、速やかにプリンター装置の修理を行うために所定のプリンター装置修理者または修理業者に通知することを目的とした管理装置である。
【００５６】
次に、図７〜図９を参照しながら、第１の実施形態に係るプリンター装置によって生成した印刷品位の異常の発生を警告するための情報（印刷品位警告通知）を説明する。
【００５７】
図７（ａ）〜（ｃ）は、コンピュータ端末Ｃ１〜Ｃ４および管理装置Ｄ１〜Ｄ２の表示画面を示している。以下、図７（ａ）〜（ｃ）の各画面Ｗ１００〜Ｗ１０２は、後述する。
【００５８】
図８は、本実施形態に係るプリンター装置から警告を送信する場合のフローチャートである。尚、図８のフローチャートにおいて、プリンター装置３０において印刷を実行したユーザーは、コンピュータ端末Ｃ１を使用していると仮定する。
【００５９】
最初に、ユーザーが、コンピュータ端末Ｃ１を使用し、ＬＡＮ４０を介してプリンター装置３０で所望する画像データを含むデータ（印刷ジョブ）を送信する。プリンター装置３０のＬＡＮ制御部１１４を介し、印刷ジョブを印刷ジョブスプーラー部１１３に蓄え、印刷シーケエンス制御部１１２が印刷ジョブを順次処理し、記録用紙に画像が印刷される（ステップ３００）。
【００６０】
ユーザーは、画像が印刷された記録用紙をプリンター装置３０にて回収する。ユーザーは、印刷された記録用紙の画像に、センサ等の機械によって識別できない印刷のかすみ、帯電ムラ、またはスジムラ等の印刷品位の異常を発見する（ステップ３１０，Ｙ）。印刷品位の異常を発見されない場合（ステップ３１０，Ｎ）、プリンター装置３０は、印刷を実行する。
【００６１】
ユーザーによって印刷品位の異常を発見された場合、プリンター装置３０の上部に備えられた入力部１２の印刷品位異常検知入力部１２１に印刷品位が異常である情報が入力される（ステップ３２０、Ｙ）。一方、該印刷品位が異常である情報が印刷品位異常検知入力部１２１に入力されない場合（ステップ３２０、Ｎ）、プリンター装置３０は、印刷品位異常検知入力部１２１の入力待機状態に入る。
【００６２】
ユーザーによって印刷品位異常検知入力部１２１に印刷品位が異常である情報が入力されると、印刷品位異常警告通知生成部１１０は、各コンピュータ端末Ｃ１〜Ｃ４に印字品位の異常を警告するための情報（印刷品位警告通知）を生成する（ステップ３４０）。
【００６３】
印刷品位異常警告通知生成部１１０によって生成された印刷品位警告通知は、印刷品位警告通知送信部１１５によって、各コンピュータ端末Ｃ１〜Ｃ４に送信される。同時に、該印刷品位警告通知は、記憶部１４に記憶された複数の管理装置の通信ネットワークアドレスに基づき通信ネットワークを介して管理装置Ｄ１〜Ｄ２に送信される（ステップ３５０）。
【００６４】
印刷品位警告通知は、通信ネットワークを介して各コンピュータ端末Ｃ１〜Ｃ４および管理装置Ｄ１〜Ｄ２に送信され、該印刷品位警告通知に基づいて、各コンピュータ端末Ｃ１〜Ｃ４および管理装置Ｄ１〜Ｄ２の画面Ｗ１００に印刷品位が異常である警告が表示される（ステップ３６０）。
【００６５】
該印刷品位が異常である警告は、図７（ａ)に示すように、各コンピュータ端末Ｃ１〜Ｃ４および管理装置Ｄ１〜Ｄ２の画面Ｗ１００の警告ウィンドＲ１００内に表示される。警告ウィンドＲ１００内において、印刷ボタンＢ１００、キャンセルボタンＢ２００が表示される。コンピュータ端末Ｃ１〜Ｃ４を使用する各ユーザーは、印刷を実行する場合に、印刷ボタンＢ１００をクリックし、印刷を取り消す場合に、キャンセルボタンＢ２００をクリックすることで、印刷の実行または取消しの印刷ジョブをプリンター装置へ送信する。
【００６６】
従って、管理装置Ｄ１〜Ｄ２の画面に表示されることで、予め設定されていたプリンター修理者または修理業者により修理手続きが速やかに実施されて、プリンター装置３０の不具合を迅速に解消でき、該修理手続きの間、印刷品位が異常な状態で印刷が行われることを防ぐことができ、記録用紙を消費してしまうことを未然に防ぐことができる。
【００６７】
次に、コンピュータ端末Ｃ１〜Ｃ４がプリンター装置３０から印刷品位警告通知を受信し、再度印刷を行う場合の動作フローを、図７（ｂ）に示す表示画面、および図９のフローチャートを参照して説明する。
【００６８】
該印刷品位が異常である警告が表示された後、図７（ｂ)に示すように、他に利用できるプリンター装置に切替するために使用される切替ボタンＢ３０１を有する表示画面（切替画面）が、各コンピュータ端末Ｃ１〜Ｃ４の画面Ｗ１０１の警告ウィンドＲ１０１内に表示される。この為、通信ネットワーク上で他に利用できるプリンター装置に切替ることで、印刷を実行することができる。画面Ｗ１０１の警告ウィンドＲ１０１において、印刷ボタンＢ１０１、プリンター装置切替ボタンＢ３０１、キャンセルボタンＢ２０１が表示される。
【００６９】
コンピュータ端末Ｃ１〜Ｃ４を使用する各ユーザーは、他のプリンター装置に切替る場合に、プリンター装置切替ボタンＢ３０１をクリックする。また、印刷を実行する場合に、印刷ボタンＢ１０１をクリックし、印刷を取り消す場合に、キャンセルボタンＢ２０１をクリックする。各コンピュータ画面上に表示されたボタンをクリックすることで、プリンター装置の切替、印刷の実行または取消しを選択して、対応する印刷ジョブを切替えたプリンター装置に送信する。
【００７０】
図９は、本実施形態に係るプリンター装置３０からの送信された印刷品位警告通知をコンピュータ端末Ｃ１〜Ｃ４が受信後に、再度印刷を行う場合のフローチャートである。
【００７１】
コンピュータ端末Ｃ１〜Ｃ４によって、プリンター装置３０の印刷ドライバが起動される（ステップ４００、Ｙ）。
【００７２】
コンピュータ端末Ｃ１〜Ｃ４は、通信ネットワークを介してプリンター装置３０から印刷品位警告通知を受信した場合（ステップ４１０、Ｙ）、印刷品位警告通知に基づいて、図９（ａ）に示すように、印刷品位の異常を警告する表示が、各コンピュータ端末Ｃ１〜Ｃ４の画面に表示される（ステップ４２０）。
【００７３】
一方、印刷品位警告通知を受信しない場合（ステップ４１０、Ｎ）、印刷実行を選択し（ステップ４８０、Ｙ）、プリンター装置３０において通常通り印刷実行を行う（ステップ４９０）。
【００７４】
ステップ４２０で、印刷品位の異常を警告する表示がコンピュータ端末Ｃ１〜Ｃ４の画面に表示された後、図９（ｂ）で示されるように、他に利用可能なプリンター装置に切替るか否かの表示がコンピュータ端末Ｃ１〜Ｃ４の画面Ｗ１０１に表示される（ステップ４３０）。この場合、切替可能なプリンター装置名が、コンピュータ端末の画面Ｗ１０１上の警告ウィンドＲ１０１に表示される。
【００７５】
他のプリンター装置に切替る場合（ステップ４４０、Ｙ）、ユーザーは、画面Ｗ１０１上のプリンター装置切替ボタンＢ３０１をクリックする。そして他のプリンター装置の印刷ドライバが起動された後（ステップ４５０）、他のプリンター装置で印刷が可能である表示がユーザーのコンピュータ端末Ｃ１〜Ｃ４の画面に表示される（ステップ４７０）。選択した他のプリンター装置おいて印刷を本当に実行するか否かの確認が行われ（ステップ４８０、Ｙ）、印刷が実行される（ステップ４９０）。
【００７６】
一方、ステップ４４０において、他のプリンター装置への切替を行わない場合（ステップ４４０、Ｎ）、印刷品位が異常な状態で印刷を実行することも可能である。コンピュータ端末の画面Ｗ１０１上の印刷ボタンＢ１０１がクリックされ、印刷品位の異常な状態で印刷が実行される場合（ステップ５００、Ｙ）、印刷品位の異常な状態で印刷が実行される（ステップ５１０）。
【００７７】
ステップ５００において、印刷品位の異常な状態で印刷を実行しない場合（ステップ５００、Ｎ）、印刷が中止される（ステップ５２０）。
【００７８】
次に、印刷品位警告通知に基づき、印刷品位が異常である警告が各コンピュータ端末Ｃ１〜Ｃ４の画面Ｗ１０１に表示された後、プリンター装置３０の印刷品位の異常が解消され、コンピュータ端末が印刷品位の異常な状態が解除されたことを示す通知を受信し再度印刷する場合を、図７（ｃ）の表示画面、および図１０のフローチャートを参照して説明する。
【００７９】
図７（ｃ）は、ユーザー、所定のプリンター装置修理者または修理業者によってプリンター装置３０が修理され、印刷品位の異常が解消され、印刷品位が異常である警告を解除された場合のコンピュータ端末Ｃ１〜Ｃ４および管理装置Ｄ１〜Ｄ２の画面Ｗ１０２の表示画面Ｗ１０２である。
【００８０】
印刷品位が異常である警告を解除された場合、通信ネットワークを介してコンピュータ端末Ｃ１〜Ｃ４および管理装置Ｄ１〜Ｄ２の画面Ｗ１０２の警告ウィンドＲ１０２に印刷が再度可能である表示が表示される。例えば、”現在、印刷品位の異常は解消されました”等の表示が、警告ウィンドＲ１０２に表示される。
【００８１】
警告ウィンドＲ１０２内において、印刷ボタンＢ１０２、キャンセルボタンＢ２０１が表示される。コンピュータ端末Ｃ１〜Ｃ４を使用する各ユーザーは、印刷を実行する場合に、印刷ボタンＢ１０２をクリックし、印刷を取り消す場合に、キャンセルボタンＢ２０２をクリックする。コンピュータ端末Ｃ１〜Ｃ４の画面Ｗ１０２上の警告ウィンドＲ１０２に表示されたボタンをクリックすることで、印刷の実行または取消しを選択して、対応する印刷ジョブをプリンター装置３０に送信する。
【００８２】
図１０は、本実施形態に係るプリンター装置から送信された、印刷品位の異常な状態が解消されたことを知らせる解除印刷品位警告解除通知をコンピュータ端末が受信し、そして再度印刷する場合のフローチャートである。
【００８３】
ユーザーまたは所定のプリンター装置修理業者によって修理が行われ、プリンター装置３０における印刷品位の異常な状態が解消された場合（ステップ８００、Ｙ）、入力部１２の印刷品位警告解除入力部１２４により印字品位の異常が解消された情報が入力される（ステップ８１０、Ｙ）。
【００８４】
印刷品位警告解除入力部１２４に印字品位の異常が解消された情報が入力されると、印字品位の異常が解消された情報は、印刷品位異常警告通知生成部１１０に転送される。印刷品位異常警告通知生成部１１０は、コンピュータ端末Ｃ１〜Ｃ４および管理装置Ｄ１〜Ｄ２に印字品位の異常の警告を解除するための印刷品位警告解除通知を生成する（ステップ８３０）。
【００８５】
生成された印刷品位警告解除通知は、印刷品位警告通知送信部１１５によって、コンピュータ端末Ｃ１〜Ｃ４に送信される。同時に、記憶部１４に記憶された複数の管理装置Ｄ１〜Ｄ２の通信ネットワーク上のアドレスである管理テーブルが読出され、印刷品位警告解除通知は、通信ネットワークを介して管理装置Ｄ１〜Ｄ２に送信される（ステップ８４０）。
【００８６】
送信された印刷品位警告解除通知に基づいて、印刷品位の警告が解除され印刷が再度可能である表示が、一例として、図９（ｃ)に示されている。印刷品位の警告が解除され印刷が再度可能である表示は、コンピュータ端末Ｃ１〜Ｃ４および管理装置Ｄ１〜Ｄ２の画面Ｗ１０２の警告ウィンドＲ１０２に表示される（ステップ８５０）。コンピュータ端末Ｃ１〜Ｃ４は、印刷が可能になる。
【００８７】
印刷品位の異常が解消されたプリンター装置において印刷を実行するか否かの確認が行われ（ステップ８６０、Ｙ）、印刷が実行される（ステップ８７０）。
【００８８】
一方、ステップ８００において、印刷品位の異常が解除されない場合（ステップ８００、Ｎ）、印刷品位が異常な状態でも印刷の実行を選択すると（ステップ８８０、Ｙ）、印刷品位が異常な状態で印刷が実行される（ステップ８９０）。
【００８９】
また、印刷品位の異常が解除されない場合で（ステップ８００、Ｎ）且つ印刷品位が異常な状態での印刷の実行を選択しない場合（ステップ８８０、Ｎ）、印刷を中止する（ステップ９００）。
【００９０】
以上のように、ユーザー、所定のプリンター装置修理者または修理業者によって修理が行われた後、入力部１２の印刷品位警告解除入力部１２４に印字品位の異常が解消された情報が入力され、コンピュータ端末Ｃ１〜Ｃ４および管理装置Ｄ１〜Ｄ２の画面Ｗ１０２に、印刷品位警告解除通知に基づいて、印刷品位の異常が解消された表示が表示されることで、印刷品位が正常な状態にある情報を速やかに複数のユーザーが共有でき、新たに利用可能な画像形成装置に接続する手間を省くことができ、速やかに印刷を行えることでユーザーの業務効率が高めることができる。
【００９１】
また、本発明に係るプリンター装置３０と、該複数のコンピュータ端末Ｃ１〜Ｃ４と、該複数の管理装置Ｄ１〜Ｄ２とを含み、上記ステップを行って印刷品位の異常な状態の警告および解除を行う印刷通信システムを構成することができる。
【００９２】
尚、第２の実施形態に係る画像形成装置として複写機が含まれる。ユーザーが複写機において印刷を行い、人にしか認識できない印刷のかすみやムラ等の印刷品位異常を発見した場合、第１の実施形態と同様に、通信ネットワークで接続された他のユーザーに入力手段を使用して印刷品位の異常な状態で印刷が行われている情報を通知することができる。第２の実施形態に係る画像形成装置の構成、動作および手順は、第１の実施形態と重複するため省略する。
【００９３】
また、第３の実施形態に係る画像形成装置としてファクシミリが含まれる。以下に、第３の実施形態に係る画像形成装置（ファクシミリ）を説明する。
【００９４】
送信側ファクシミリと受信側ファクシミリとの間において、最初の回線を確立する段階で、発信側ファクシミリより１１００Ｈｚのトーンと３秒間の無音で構成されるコーリング信号（ＣＮＧ信号）を送信する。ＣＮＧ信号を感知した受信側ファクシミリは、応答信号として２１００Ｈｚのトーン（ＣＥＤ信号）を送信側に送信する。回線が確立後、送信側は画像データを送信する。
【００９５】
第３の実施形態に係るファクシミリにおいて、印刷品位の異常を警告するための構成および警告を解除するための構成は、第１の実施形態と同じであるため省略する。
【００９６】
受信側ファクシミリは、ファクシミリの画像形成部（プリンター部）によって受信した画像データを記録用紙に印刷する。この場合、第１の実施形態と同様に、センサ等の機械での識別が難しく且つ人によってのみ認知ができる程度の印刷のかすみ、帯電ムラおよびスジムラ等の印刷品位の異常が発生し得る。
【００９７】
印刷された記録用紙をファクシミリから回収した際に、人にしか認知できない異常印刷品位で印刷されていることに受信側ファクシミリを使用するユーザーが気づいた場合でも、送信側は、印刷品位の異常が発生していることに気づかずに、次々と受信側ファクシミリに画像データを送信し、異常な印刷品位で印刷が行なわれてしまう。結果、大量の記録用紙が浪費され、電力エネルギーも無駄になってしまう。
【００９８】
上記の問題を鑑みて、ファクシミリの送信側と受信側ファクシミリとの間での印刷品位の異常を警告する動作と該警告の解除を行う動作を簡単に説明する。
【００９９】
第１の実施形態と同様に、受信側ファクシミリの本体には印刷品位異常の検知を知らせるための印刷品位異常検知入力部が設けられている。送信側ファクシミリから送信された画像データを印刷した後に、記録用紙上に印刷品位の異常を発見した受信側ファクシミリのユーザーは、現在、ファクシミリの印刷品位が異常である情報をファクシミリに備えられた印刷品位異常検知入力部によって入力する。
【０１００】
印刷品位異常検知入力部によって該印刷品位が異常である情報が入力されると、受信側ファクシミリに印字品位の異常を警告するための情報が生成される。さらに受信側ファクシミリは、印刷品位異常状態に設定され、該印字品位の異常を警告するための情報に基づいて、受信側ファクシミリの表示部に警告が表示される。
【０１０１】
以降、受信側のファクシミリと他の送信側のファクシミリとの回線が確立された場合、受信側のファクシミリ内部に備えられた送信部は、画像データの送信準備に入っている送信側ファクシミリに対して、該印字品位の異常を警告するため情報（印刷品位警告通知）を送信側に送信する。尚、送信側ファクシミリは、１台に限られない。
【０１０２】
一方、該受信側ファクシミリと回線が再度確立された場合、送信側ファクシミリでは、該印字品位の異常を警告するための情報に基づいて、送信側の表示画面に警告が表示される。例えば、“入力した番号の受信先ファクシミリは、現在、印刷品位に異常が現れています”等のメッセージが表示される。または、送信側ファクシミリにおいて音声ガイダンス等によって、受信側ファクシミリで印刷品位の異常が発生していることを音声により警告する構成を取っても良い。
【０１０３】
上記のように、信側ファクシミリを使用しているユーザーが、人にしか認識できない印刷品位の異常な状態で印刷されていることに気づいた場合、画像データを送信する準備をしている送信側ファクシミリに対して、入力手段を使用して印刷品位が異常である情報を入力し、印字品位の異常を警告するための情報（印刷品位警告通知）を生成する。送信側ファクシミリと再度回線が確立した際に、受信側ファクシミリは、印刷品位警告通知を送信する。該印刷品位警告通知に基づき、送信側ファクシミリにおいて受信側ファクシミリの印刷品位が異常な状態であることを認識でき、送信側ファクシミリからの画像データの送信を未然に控えることができるため、受信側ファクシミリにおいて印刷品位の異常な状態で印刷することを未然に防ぐことができ、記録用紙の浪費を防止することができる。
【０１０４】
更に、印刷品位の異常な状態による故障状態であった受信側ファクシミリをユーザーが修理し、印刷品位の異常が解消された場合、ユーザーは印刷品位の異常が解消された情報を印刷品位警告解除入力部によって入力する。
【０１０５】
印刷品位警告解除入力部からの該印刷品位の異常が解消された情報に基づいて、受信側ファクシミリにおける印刷品位の異常な状態が解除され、通常の動作状態に戻ると共に、受信側ファクシミリの表示部に印刷品位の警告が解除された表示が表示される。
【０１０６】
以降、受信側ファクシミリと送信側ファクシミリとの回線が確立された場合、受信側ファクシミリ内部に備えられた送信部は、画像データの送信準備に入っている送信側のファクシミリに対して、受信側ファクシミリにおいて該印字品位の異常が解消された情報を送信側ファクシミリに送信する。尚、送信側ファクシミリは１台に限られない。
【０１０７】
一方、該受信側ファクシミリと回線が再度確立された場合、送信側ファクシミリでは、印字品位の異常が解消された情報に基づいて、送信側ファクシミリの表示画面に印刷品位の警告が解除された表示が表示される。例えば、“入力した番号の受信先ファクシミリの印刷品位は、現在、正常な状態です”等のメッセージが表示される。または、送信側ファクシミリにおいて音声ガイダンス等によって、受信側ファクシミリで印刷品位の異常が解消していることを音声により通知する構成を取っても良い。
【０１０８】
上記の構成によって、受信側ファクシミリの印字品位の異常が解消された情報を送信側ファクシミリに送信し、印字品位の異常が解消された情報に基づいて、印刷品位の警告が解除された旨が送信側ファクシミリの表示画面に表示されることで、送信側ファクシミリと受信側ファクシミリとの回線を迅速に再確立し画像データの交換を可能にできる。
【０１０９】
尚、受信側ファクシミリが、印字品位の異常である情報が入力され、該印字品位の異常を警告するため情報（印刷品位警告通知）が生成され、印刷品位の異常な状態に設定された場合に、受信側ファクシミリの記憶部に予め記憶された通信番号に基づいて、所定の修理サービス機関に該印字品位の異常を警告するため情報（印刷品位警告通知）を送信する構成としても良い。
【符号の説明】
【０１１０】
１１  制御部
１２  入力部
１３  表示部
１４  記憶部
１１０  印刷品位異常警告通知生成部
１１３  印刷ジョブスプーラー部
１１４  ＬＡＮ制御部
１１２  印刷シーケエンス制御部
１１５  印刷品位警告通知送信部
１２１  印刷品位異常検知入力部
１２４  印刷品位警告解除入力部
【図１】
2011100013.tif 000003
【図２】
2011100013.tif 000004
【図３】
2011100013.tif 000005
【図４】
2011100013.tif 000006
【図５】
2011100013.tif 000007
【図６】
2011100013.tif 000008
【図７】
2011100013.tif 000009
【図８】
2011100013.tif 000010
【図９】
2011100013.tif 000011
【図１０】
2011100013.tif 000012